(57)【要約】【課題】捕獲した生魚の魚締めをを条件の悪い現場で効率的に行う為に、経験のない者でも少しの訓練で、容易に、効率よく捕獲した現場で魚締め作業が行える方式を確保する。【解決手段】内蔵バッテリーによるモーターの回転等を、回転方向変換機構、クランク機構によりリンクの往復動作に変換する。クランク機構には任意の振り子（バランサー）をつけて、回転の円滑化、バッテリーの長時間使用の効率化を図る。リンクの先端に任意の切り刃を取り付けて、魚締め時に本体の把手部の入り切りスイッチによりモーター動作をさせて魚締めを行う。クランク機構を二つ設置して切り刃を２個用い、効率を上げることも可能である。また、モーターの回転をそのまま利用して、切り刃を回転刃としても魚締めが可能となる。【選択図】図１
2005058195.tif 000002
【特許請求の範囲】
【請求項１】
生魚を魚締めする際に使用する魚締め器の、魚締め機構であって、電動モーター等の主軸回転を直線運動に変える傘歯車と、クランク揺動運動を行う回転盤に継着されたピン、及びリンクを擁する回転−直線変換部。従動軸（クランク軸）に設けた振り子式慣性回転継続機構。リンク先端部に切り刃を装着するための切り刃装着部、などから構成される電池等のエネルギーの消耗を最小限に押さえて、長時間の使用に耐えるように構成したことを特徴とする、生魚を魚締めするための魚締め機構。
【請求項２】
電動モーター等の回転運動を直線運動に変える機構に、切り刃を２個取り付けられるようにするため、それぞれの切り刃の往復動作を交互に作動するような構造として、単位時間内の切り込みサイクルを約２倍に増やして、魚締めに要する時間を短縮する事を特徴とする、請求項１記載の魚締め機構。
【請求項３】
電動モーター等の回転運動を直線運動に変換せず、回転比を歯車等で変えて任意の回転を得られるようにして、またモーター等の主軸回転部に振り子式慣性回転継続機構を設けると共に、切り刃を回転式切り刃（ドリル状）として、切り刃固定装置（三方チャック等）で簡単に回転式切り刃の交換が出来るようにしたことを特徴とする、魚締めに用いる請求項１記載の魚締め機構。
【発明の詳細な説明】
【技術分野】
【０００１】  本発明は、主に漁師や釣り人等が捕獲した魚、または鮮魚の調理師が、生け簀等からとり出した生魚を、容易に締めることが出来るように工夫した、魚締め器用の魚締め機構に関するものである。
【背景技術】
【０００２】  従来、捕獲した魚を締める場合、包丁やナイフ、又は目打ち等の先端の尖った道具が利用され、魚締めの時、これらの刃物の先端を、生魚のエラの間に差し込み、生魚の脊髄神経を切ると共に血抜きを行い、捕獲した生魚の鮮度を保つようにしている。【０００３】  しかしながら、前述の方式によると、迅速にまた、大量の生魚を締めようとする場合、かなりの経験及び技量を必要とされ、そのうえ斯かる漁業に携わる漁師やその他漁業従事者の高齢化に伴い、斯かる作業が困難になってきている現状がある。
【発明の開示】
【発明が解決しようとしている課題】
【０００４】  そこで、本発明は前述の如き問題点の解決を図り、経験や技量をさほど必要としなくても、尚かつ大量の生魚を短時間で締めることが出来て、しかも操作が簡単で、エネルギー効率の良い、また、比較的粗雑な扱いをする魚締め現場でも使用に耐える、魚締め器用の堅牢な魚締め機構を創出するものである。
【課題を解決するための手段】
【０００５】  上記目的を解決するために、本発明による請求項１記載の生魚の魚締め機構にあっては、充電型バッテリーと小型ハイパワーモーター等の組合せにより、高トルク回転を得て、しかる回転を魚締めのための、切り刃の前後運動にする回転−直線変換機構を備えている。
【０００６】  そして、回転−直線変換機構には、モーター等駆動源の回転力を持続させるための振り子式慣性回転継続機構を採用して、また回転−直線変換機構には駆動軸の回転を切り刃の直線往復動作に変換するために、クランク機構を採用した。
【０００７】  そして、その一連の機構上の機能を図１、により説明するとすれば、モーター等の駆動軸１、には駆動歯車として傘歯車３、を取り付けてあり、従動軸２、には従動歯車として傘歯車４、を取り付けてある。これらの歯車はそれぞれの軸に圧入等の手段で固定しておき、各軸の回転と一体になり回転するようにした。
【０００８】  そして、駆動軸１、が回転することによって駆動側の傘歯車３、によって従動歯車４、が回転して駆動軸１、と従動軸２、が直交して回転するようにした。
【０００９】  そして、クランクとして構成してあり、その構成要素として軸に適宣固定してある回転盤５、回転盤の回転円周上の任意の位置に、回転盤に対して直角に植え込んであるピン６、ピンにはピンを軸として回転出来るベアリング７、を挿入してある。ベアリングを挟みピンに圧入等で取り付けてある振り子８、振り子の回転中心は従動軸２、の回転中心と一致させてある。
【００１０】  このように、クランク機構を構成してあるので、駆動軸の回転を従動軸の直交回転に変換して、回転盤上のピンに挿入したベアリングを、従動軸を中心にして任意の回転半径で回転することが出来るようにした。
【００１１】  そして、切り刃に直線運動を与えるため構成したクランク機構に、リンク９、をピン６，に取り付ける、リンクは回転盤５、のピンに挿入されたベアリング７、にはめ込むための長孔を設けて、リンクがクランクの円周運動の時の揺動についていけるようにするとともに且つ、機構の簡素化を図った。
【００１２】  又、リンク９，の外縁には直道方向に半円状の溝を設け、この溝にガイドピン１０、をリンクの半円状溝の半径面に接するように取り付けて、リンクの直線動作を安定させると共に、リンクの直線運動において回転が発生しないようにした。
【００１３】  このようにして、駆動軸の回転を駆動歯車と従動歯車により回転方向の変換を行い、従動軸の回転に伴う回転盤のピンのクランク運動、ピンのベアリングに挿入継着されたリンクの長孔により、ピンとベアリングのクランク軸動作をリンクの直線運動に変えている。
【００１４】  また、従動軸２、と同軸に設けた振り子８、がクランク運動のむらを防ぎ、回転〜直線の一連の機構動作をスムーズにすると共に、モーター等の電池電流の安定供給を可能として、電池の寿命を長引かせる効果と共に、振り子式慣性回転継続機構とした。
【００１５】  そして、直線運動を行うリンクの先端に、任意の切り刃１１（たとえばナイフブレードまたは鋸刃）、等を取り付けられるように、ネジ部と突起部等を設定することにより、対象魚に応じた切り刃の交換が、１本の取り付けねじ１２、により容易に出来るようになる。
【００１６】  また、請求項２に記載の魚締め機構にあっては、回転−直線変換機構を２組として、２組の回転−直線変換機構が、従動軸上でお互いに位相が１８０度ずれた常態で作動するように設定しておくことにより、２組の回転−直線変換機構及び切り刃の直線運動を交互に前進、後退するようにして、魚締め能率の向上を図るようにした。
【００１７】  さらに、請求項３に記載の魚締め機構にあっては駆動軸の回転運動を直線運動に変換せず、駆動軸の回転をそのまま取り出して、回転軸の先端に回転刃１３（ドリル状の回転刃）、を脱着出来る固定機構１４（三方チャック等）、を設けて、任意の回転刃を取り付けられるようにして、回転刃により生魚の脊髄神経を切る方法を採用した。
【発明の効果】
【００１８】  請求項１、の魚締め機構にあっては、従来方法では経験と技量が伴わないと大量で、長時間にわたる生魚の活き締め作業が出来なかったが、本発明による魚締め機構を電動魚締め器等に採用することによって、経験のない人間でも少しの習熟によりその作業が可能となる。また体力の減少しつつある高齢の漁業従事者でも、長時間にわたる魚締め作業が疲労をなくして行えるようになる。
【００１９】  請求項２，の電動魚締め機構にあっては、請求項１、の魚締め機構採用の魚締め器に対して単位時間の魚締め尾数が約２倍の効果が具現出来ると共に、両刃の交互往復動作により機器の振動を抑制して、よりなめらかな機構動作を可能とする効果を有する。
【００２０】  請求項３，の魚締め機構採用の魚締め器にあっては従来の方法、即ち、ナイフ状の刃物による往復動切り込みでは解決出来ない魚介類の魚締め及び加工に寄与できる。例えば骨の硬い硬骨魚や甲殼類の加工に対応出来る。
【発明を実施するための最良の形態】
【００２１】  図４において、本発明の魚締め機構採用の魚締め器を説明すると、魚締め機構部を収容する本体ケース１５，と電装／電池部カバー１６、刃物カバー１７、構成内容はモーター１８、振り子式慣性回転継続機構を含む回転−直線変換機構、リンク９，及び刃物取り付け部、電装／電池部１９、入り切りスイッチ２０、からなる。モーターを含むほとんどの機能構成部品は、ユニット化して扱いよくするためにハウジングに組み込む構造とすれば、機能部を１ユニットとして扱えるので、生産性の向上に寄与すると共に管理面での取り扱い性が向上する。【００２２】  切り刃を取り付けるリンク９，の先端部に切り刃の孔に嵌合する凸部と切り刃を固定するネジ（雌ねじ）を設けておけば、１本の取り付けねじ１２（雄ねじ）、で容易に切り刃の着脱を行うことが可能となる。従って切り刃の取り付け部に、２個の孔を標準寸法として設定する事により、種類の違う切り刃に対応出来ることは言うまでもない。【００２３】  前後に出入りするリンク機構は、ケースの内外の水密を保持するために、摺動部部には適宣パッキンを用いることにより、防水効果がを高めることが可能である。【００２４】  切り刃の魚締め効果を損なわないために、摺動するリンク機構の直進性を維持して、無駄のない機構動作を保持するため、リンク９，の外縁両端部に半円溝を設けてその溝部を本体に設けたガイドピン１０，に契合させて、ガイドピンに沿ってリンクが滑動するように設定すれば、効率の良い機構動作を具現出来て、且つ本体の使用寿命の延長に寄与出来る。
【実施例】
【００２５】  図４は、本発明の装置を、充電タイプのバッテリーを電源とした電源により、モーター駆動する携行型魚締め器に応用した実施例の組立断面図である。構成部分を内包するパッケージは、精密に作動する機構部、モーター１８、電装／電池部１９，等を湿気、水分（主として海水）から保護するために水密性を持たせ。そのために外装パッケージは防水性を持たせるように、組合せ部にパッキン２１，を用いる構造として構成する。【００２６】  図５は、図４の応用例の基本パッケージを示すものである、パッケージを本体１５、電装／電池部カバー１６、刃物カバー１７、等の３つぐらいのパッケージで構成するようにして、例えば材料にエンジニアリングプラスチックを用いて、大量生産を行おうとする場合、金型の数を最小限にすることが出来るので金型のコストを節減出来ると共に部品管理面でも効率が良くなる。【００２７】  また、パッケージの把手に相当する部分をグリップ性の良い、凹凸、または波形状に成形する事により、長時間の作業にも対応出来る生魚の魚締め器が構成できる。
【産業上の利用の可能性】
【００２８】  直線運動を行うリンク先端の切り刃取り付け部に、切り刃の代わりにヤスリ等を取り付けられるようにする事により、樹脂成形金型の磨き用電動工具に適用出来る。
【図面の簡単な説明】
【００２９】
【図１】請求項１の構造を示す平面図及び正面図の部分断面図である。
【図２】請求項２の構造を示す平面図の部分断面図である。
【図３】請求項３の構造を示す平面図である。
【図４】請求項１及び２の魚締め機構の応用例を示す断面図である。（実施例）
【図５】請求項１及び２の応用例の、パッケージ分割例である。（実施例）
【符号の説明】
【００３０】１    駆動軸
２    従動軸
３    傘歯車Ａ
４    傘歯車Ｂ
５    回転盤
６    ピン
７    ベアリング
８    振り子
９    リンク
１０  ガイドピン
１１  切り刃
１２  取り付けねじ
１３  回転刃
１４  固定機構
１５  本体ケース
１６  電装／電池ぶカバー
１７  刃物カバー
１８  モーター
１９  電装／電池部
２０  入り切りスイッチ
２１  パッキン
【図１】
2005058195.tif 000003
【図２】
2005058195.tif 000004
【図３】
2005058195.tif 000005
【図４】
2005058195.tif 000006
【図５】
2005058195.tif 000007